(57)【要約】【課題】アナログビデオテープに記録されたアナログ信号を、そのテープの再生時間よりも短い時間でデジタル信号に変換する。【解決手段】アナログビデオカセットのビデオテープをＸ倍速で駆動するテープ駆動系と、Ｘ倍速で駆動されたテープからアナログ信号を読み出すヘッダーと、ヘッダーでのアナログ信号の読み出し速度に同期して、アナログ信号をデジタル信号に変換する信号処理装置と、デジタル信号を記憶する記憶装置と、デジタル信号を外部装置に出力するためのインタフェース装置とを備えることを特徴とするダビング装置。【選択図】図１
2013200918.tif 000002
【特許請求の範囲】
【請求項１】
アナログビデオカセットのビデオテープを、再生速度のＸ倍（Ｘ＞１）にて駆動するテープ駆動系と、
Ｘ倍速で駆動されたテープからアナログ信号を読み出すヘッダーと、
ヘッダーでのアナログ信号の読み出し速度に同期して、アナログ信号をデジタル信号に変換する信号処理装置と、
デジタル信号を記憶する記憶装置と、
デジタル信号を外部装置に出力するためのインタフェース装置と
を備えることを特徴とするダビング装置。
【請求項２】
前記テープ駆動系は、
挿入したビデオカセットのリールを回転させてテープを駆動するビデオ稼働手段と、
テープを所定の軌道に誘導するローラーと、
ローラーにより誘導されて接触したテープを駆動する、少なくとも２つの回転制御手段と
を備えることを特徴とする請求項１に記載のダビング装置。
【請求項３】
一の回転制御手段は、前記ビデオ稼働手段から前記ヘッダーにテープを駆動する方向の前記軌道上で、前記ビデオ稼働手段と前記ヘッダーの間に配置され、
他の一の回転制御手段は、前記ヘッダーから前記ビデオ稼働手段にテープを駆動する方向の前記軌道上で、前記ビデオ稼働手段と前記ヘッダーの間に配置される
ことを特徴とする請求項２に記載のダビング装置。
【請求項４】
アナログビデオカセットのビデオテープを、再生速度のＸ倍（Ｘ＞１）にてテープ駆動系にて駆動する段階と、
Ｘ倍速で駆動されたテープからヘッダーにてアナログ信号を読み出す段階と、
ヘッダーでのアナログ信号の読み出し速度に同期して、信号処理装置にてアナログ信号をデジタル信号に変換する段階と、
デジタル信号を記憶装置に記憶する段階と、
インタフェース装置を介してデジタル信号を外部装置に出力する段階と
を含むことを特徴とするダビング方法。
【請求項５】
前記テープ駆動系は、
挿入したビデオカセットのリールを回転させてテープを駆動するビデオ稼働手段と、
テープを所定の軌道に誘導するローラーと、
ローラーにより誘導されて接触したテープを駆動する、少なくとも２つの回転制御手段と
を備えることを特徴とする請求項４に記載のダビング方法。
【請求項６】
一の回転制御手段は、前記ビデオ稼働手段から前記ヘッダーにテープを駆動する方向の前記軌道上で、前記ビデオ稼働手段と前記ヘッダーの間に配置され、
他の一の回転制御手段は、前記ヘッダーから前記ビデオ稼働手段にテープを駆動する方向の前記軌道上で、前記ビデオ稼働手段と前記ヘッダーの間に配置される
ことを特徴とする請求項５に記載のダビング方法。
【発明の詳細な説明】
【技術分野】
【０００１】
本発明は、アナログビデオテープに録画したコンテンツのデジタル化に関する。
【背景技術】
【０００２】
アナログビデオデッキにて録画したビデオテープが大量に存在している。こうした事情を背景にして、アナログビデオテープに記録されたビデオ信号をデジタルデータに変換したいという要望がある。特に、読み出したビデオ信号をＰＣ上で再生、編集したいという要望がある。
【０００３】
こうした要望に対し、従来は、アナログビデオデッキのアナログ出力端子をＤＶＤレコーダの入力端子に繋いで、ＤＶＤレコーダにてアナログビデオ信号をデジタルビデオ信号に変換してＤＶＤに記録した後、ＰＣのＤＶＤドライブ装置にてそのＤＶＤからデジタルビデオ信号を読み出していた。
【０００４】
本発明に関連する技術が記載された文献として、特許文献１、２を挙げる。
【先行技術文献】
【特許文献】
【０００５】
【特許文献１】特開２００８−２４３２４６号公報
【特許文献２】特開２００６−４１８５４号公報
【発明の概要】
【発明が解決しようとする課題】
【０００６】
いずれにしても、従来の手法では、等速再生によりアナログビデオテープからビデオ信号を読み出してデジタル化を行なっていた。このため、アナログビデオテープから読み出したビデオ信号のデジタル変換には、そのアナログビデオテープの再生時間と同じ長さの時間が少なくとも必要であった。
【０００７】
本発明はこのような状況に鑑みてなされたものであり、本発明が解決しようとする課題は、アナログビデオテープに記録されたアナログ信号を、そのテープの再生時間よりも短い時間でデジタル信号に変換することである。
【課題を解決するための手段】
【０００８】
上述の課題を解決するため、本発明は、その一態様として、アナログビデオカセットのビデオテープを、再生速度のＸ倍（Ｘ＞１）にて駆動するテープ駆動系と、Ｘ倍速で駆動されたテープからアナログ信号を読み出すヘッダーと、ヘッダーでのアナログ信号の読み出し速度に同期して、アナログ信号をデジタル信号に変換する信号処理装置と、デジタル信号を記憶する記憶装置と、デジタル信号を外部装置に出力するためのインタフェース装置とを備えることを特徴とするダビング装置を提供する。
【０００９】
また、本発明は、他の一態様として、アナログビデオカセットのビデオテープを、再生速度のＸ倍（Ｘ＞１）にてテープ駆動系にて駆動する段階と、Ｘ倍速で駆動されたテープからヘッダーにてアナログ信号を読み出す段階と、ヘッダーでのアナログ信号の読み出し速度に同期して、信号処理装置にてアナログ信号をデジタル信号に変換する段階と、デジタル信号を記憶装置に記憶する段階と、インタフェース装置を介してデジタル信号を外部装置に出力する段階とを含むことを特徴とするダビング方法を提供する。
【発明の効果】
【００１０】
本発明によれば、再生速度のＸ倍（例えば１０倍）の速度で駆動したテープからアナログ信号を読み出し、読み出し速度に同期してデジタル信号に変換するので、テープの再生速度の１／Ｘの時間でデジタル信号に変換することができる。
【図面の簡単な説明】
【００１１】
【図１】本発明の一実施の形態であるダビング装置１について説明するためのブロック図である。
【発明を実施するための形態】
【００１２】
本発明の一実施の形態であるダビング装置１について図１を参照して説明する。ダビング装置１は、ヘッダー部２、信号変換部３、記憶部４、Ｉ／Ｆ部５、ビデオ稼働部６、回転制御部７、８、可動ローラー９−１２、固定ローラー１３、１４、中央制御部１５、電源部１６、筐体部１７を備える。
【００１３】
ヘッダー部２は接触したビデオテープからアナログビデオ信号を読み出す。ヘッダー部２は、予め定められた、通常の再生速度のＸ倍（Ｘ＞１）で駆動されたテープから、アナログビデオ信号を読み出すことが可能である。
【００１４】
信号変換部３は信号処理装置であり、ヘッダー部２にて読み取ったアナログビデオ信号をデジタルビデオ信号に変換する。
【００１５】
記憶部４は記憶装置であり、信号変換部３から出力されたデジタルビデオ信号を記憶する。記憶部４は例えば固定磁気ディスク装置や、ＳＳＤ（Ｓｏｌｉｄ  Ｓｔａｔｅ  Ｄｒｉｖｅ）である。
【００１６】
I/F部５は、コンピュータに接続するためのインタフェース装置である。伝送媒体は有線であっても無線であってもよい。例えばＵＳＢ、Bluetooth（登録商標）、IEEE1394等のインタフェース装置やネットワークカードがある。
【００１７】
ビデオ稼働部６は、アナログビデオカセットを筐体の中に収容する。ビデオ稼働部６はモーターを備え、該モーターは、中央制御部１５の制御下で、収容したカセット内のリールを回転することにより、テープをＸ倍速で駆動する。
【００１８】
回転制御部７、８はそれぞれヘッダー部２とビデオ稼働部６の両側に配置されている。回転制御部７、８は、それぞれテープを駆動するためのモーター、モーターの力をテープに伝達するためのローラー機構を備える。ローラー機構はゴム或いは樹脂等にて形成された複数のローラーを備え、ローラーの間に挟んだテープにモーターの回転を伝達する。更に、必要であれば回転制御部７、８はモーターの回転を適切な回転数に変換してローラーに伝達するためのギア機構を備えることとしてもよい。
【００１９】
ビデオ稼働部６、回転制御部７、８のモーターは、中央制御部１５の制御下で、互いに同期してビデオテープをＸ倍速で駆動する。ダビング装置１は、２つの回転制御部７、８を備えることにより、一定の速度で安定したテープ駆動を実現することができる。テープ速度を安定させることにより、信号変換部３は、ヘッダー部２にて読み出したアナログビデオ信号と同期して、デジタルビデオ信号に変換することができる。また、同じ理由から、ビデオテープの高速駆動を原因とするテープの破断を防止することができる。
【００２０】
可動ローラー９−１２は中央制御部１５の制御に応じて上下動可能なローラーである。テープの軌道に沿って、ビデオ稼働部６と回転制御部７との間、回転制御部７とヘッダー部２との間、ヘッダー部２と回転制御部８との間、回転制御部８とビデオ稼働部６との間に、可動ローラー９−１２がそれぞれひとつずつ、合計４つ配置される。可動ローラー９−１２は中央制御部１５の制御に応じてビデオカセットからビデオテープのみを引き出し、ヘッダー部２、回転制御部７、８に誘導して接触させる。
【００２１】
固定ローラー１３、１４は固定されたローラーである。テープの軌道に沿って、ビデオ稼働部６のテープの取り出し口側と取り込み口側にそれぞれ１つずつ合計２つ配置される。
【００２２】
中央制御部１５は、回転制御部７、８によるテープの回転、ヘッダー部２によるアナログビデオ信号の読み取り、信号変換部３によるＡＤ変換、可動ローラー９−１２によるテープのローディングを制御する。また、これら各部を連携させることにより、ｎ倍速駆動したビデオテープからヘッダー部２で読み取ったアナログビデオ信号を、信号変換部３にて読み取り速度と同期してデジタルビデオ信号に変換する。
【００２３】
電源部１６は、家庭用交流電源から入力された交流を直流に変換し、ダビング装置１の各部に供給する。
【００２４】
筐体部１７は、ヘッダー部２、信号変換部３、記憶部４、Ｉ／Ｆ部５、ビデオ稼働部６、回転制御部７、８、可動ローラー９−１２、固定ローラー１３、１４、中央制御部１５、電源部１６を収納する筐体である。
【００２５】
次に、ダビング装置１の動作について説明する。
【００２６】
ビデオ稼動部６にビデオカセットが挿入されると、中央制御部１５は、上下に動くことが可能な４つの可動ローラー９−１２により、ビデオカセットからビデオテープのみを所定の軌道へ誘導し、ヘッダー部２と回転制御部７、８に接触させる。
【００２７】
中央制御部１５は、ビデオ稼動部２、回転制御部７、８を制御することにより、ビデオの再生可能速度のＸ倍、例えば１０倍の速度でテープを駆動する。
【００２８】
中央制御部１５は、ヘッダー部２により高速駆動中のアナログビデオテープからアナログビデオ信号を読み出し、これと同期して、信号変換部３にて読み出したアナログビデオ信号をデジタルビデオ信号に変換する。変換後のデジタルビデオ信号は、記憶部４に格納される。
【００２９】
記憶部４に格納されたデジタルビデオ信号は、Ｉ／Ｆ部５を介して接続された他の装置に出力される。例えば、Ｉ／Ｆ部５がＵＳＢのとき、ダビング装置１は、ＰＣにＵＳＢ接続された一般的な外部記憶装置として動作して、記憶部４に格納したデジタルビデオ信号をＰＣに出力することが考えられる。
【符号の説明】
【００３０】
１  ダビング装置
２  ヘッダー部
３  信号変換部
４  記憶部
５  Ｉ／Ｆ部
６  ビデオ稼働部
７、８  回転制御部
９−１２  可動ローラー
１３、１４  固定ローラー
１５  中央制御部
１６  電源部
１７  筐体部
【図１】
2013200918.tif 000003